(57)【特許請求の範囲】
【請求項１】
遊技機から排出されたアウト球を回収する回収樋と、該回収樋からの回収球を前記遊技機に供給するための供給装置と、を備えた遊技球循環機構を有する遊技場設備において、
前記回収樋の側部に、前記回収樋における球の貯留状態を検出する検出部を設け、
該検出部は、検出器を取り付けた壁状部材と、該壁状部材を上方から挿通する溝部と、該溝部に挿通された壁状部材を上方から覆う蓋部材と、から構成され、
該蓋部材は、前記回収樋に設けられた載置部に非固定状態で載置されることを特徴とする遊技場設備。
【請求項２】
遊技機が配設された筐体内に遊技球循環機構を収納させ、
該遊技球循環機構は、前記遊技機から排出されたアウト球を回収する回収樋と、該回収樋からの回収球を前記遊技機に供給するための供給装置と、を備え、
前記筐体の側壁に、前記遊技機から排出された景品球を計数する計数装置を併設させて、該計数装置からの計数球を前記回収樋に排出させるようにした遊技場設備において、
前記回収樋の前記計数装置側部に、回収樋における球の貯留状態を検出する検出部を設け、
該検出部は、検出器を取り付けた壁状部材と、該壁状部材を上方から挿通する溝部と、該溝部に挿通された壁状部材を上方から覆う蓋部材と、から構成され、
該蓋部材は、衝撃吸収性材を備え、前記回収樋に設けられた載置部に非固定状態で載置されるとともに、上面に前記計数装置からの計数球が衝接する衝接部を形成し、該衝接部に衝接した球を前記回収樋へ落下させるようにしたことを特徴とする遊技場設備。
【発明の詳細な説明】
【技術分野】
【０００１】
本発明は、複数の遊技機（例えば、パチンコ機など）が設置された遊技島内での遊技球の循環（島内循環）、及び遊技島間での遊技球の循環（島間循環）を行う遊技場設備に関する。
【背景技術】
【０００２】
遊技場のパチンコ機等の遊技機は、遊技島又は遊技機設置島（場合により、単に島という。）と呼ばれる設備の両面又は片面に複数並べて設けられる。また、この遊技島は、通常遊技場フロア上に複数並列に設置される。そして、パチンコ機などでは、例えば連続的に大当たりとなることがあり、そのような状態となった遊技機が設置された遊技島では、多数の出球が発生するため、タンクにおける遊技球の保有量が極端に少なくなり、その景品球として払い出された多数の遊技球をなるべく速やかに補給する必要がある。
また一方では、まったく大当たりが発生しなかったり、遊技者が少なかったりすると遊技島から排出される遊技球が極端に少なくなり、遊技島のタンクに保有されている遊技球が余りがちになるといったこともあり得る。
【０００３】
したがって、遊技球を貯留し、貯留した遊技球を必要に応じて排出して遊技島の各遊技機に送球して循環させるとともに、遊技機から景品球として払い出されて計数器より回収される遊技球を、各遊技島の球量がなるべく適正範囲に保たれるように、各遊技島に還元する設備の重要性が、近年益々増大している。
そして、この種の設備としては、例えば特許文献１に開示された遊技場設備が知られている。これは、遊技島間に２本の樋を互いに逆傾斜で架け渡すとともに、該２本の樋の夫々を閉鎖するシャッターを設けて、お互いに他の遊技島に対する遊技球の供給を制御できるようになっている。
また、計数機が併設された遊技島の遊技球回収樋（遊技機や計数機から排出される遊技球を島底部中央に向けて回収する回収樋）の計数機側壁には遊技球回収樋内の遊技球の貯留状態を検出するセンサ（検出器）が設けられ、このセンサからの検出信号によって島間樋のシャッターを制御することにより、計数機から遊技球回収樋に景品球が流入して遊技球回収樋内が充満しそうな場合には、他の遊技島からの遊技球の流入を防ぐことができ、各遊技島の球量が適正範囲に保たれるようになっている。
【０００４】
【特許文献１】特開２００５−３０４９９５号公報
【発明の開示】
【発明が解決しようとする課題】
【０００５】
しかし、上記従来の設備においては、上記センサが遊技球回収樋に対して固定されていたため、上記センサが故障の際に上記センサを交換する等のメンテナンスを行うことが困難であった。
そこで本発明は、遊技球回収樋の遊技球の貯留状態を検出するセンサが故障しても、メンテナンスが容易な遊技場設備を提供することを目的としている。
【課題を解決するための手段】
【０００６】
本願請求項１に記載の遊技場設備は、遊技機から排出されたアウト球を回収する回収樋と、該回収樋からの回収球を前記遊技機に供給するための供給装置と、を備えた遊技球循環機構を有する遊技場設備において、
前記回収樋の側部に、前記回収樋における球の貯留状態を検出する検出部を設け、
該検出部は、検出器を取り付けた壁状部材と、該壁状部材を上方から挿通する溝部と、該溝部に挿通された壁状部材を上方から覆う蓋部材と、から構成され、
該蓋部材は、前記回収樋に設けられた載置部に非固定状態で載置されることを特徴とする。
【０００７】
本願請求項２に記載の遊技場設備は、遊技機が配設された筐体内に遊技球循環機構を収納させ、
該遊技球循環機構は、前記遊技機から排出されたアウト球を回収する回収樋と、該回収樋からの回収球を前記遊技機に供給するための供給装置と、を備え、
前記筐体の側壁に、前記遊技機から排出された景品球を計数する計数装置を併設させて、該計数装置からの計数球を前記回収樋に排出させるようにした遊技場設備において、
前記回収樋の前記計数装置側部に、回収樋における球の貯留状態を検出する検出部を設け、
該検出部は、検出器を取り付けた壁状部材と、該壁状部材を上方から挿通する溝部と、該溝部に挿通された壁状部材を上方から覆う蓋部材と、から構成され、
該蓋部材は、衝撃吸収性材を備え、前記回収樋に設けられた載置部に非固定状態で載置されるとともに、上面に前記計数装置からの計数球が衝接する衝接部を形成し、該衝接部に衝接した球を前記回収樋へ落下させるようにしたことを特徴とする。
【発明の効果】
【０００８】
本願請求項１に記載の遊技場設備によれば、検出部は、検出器を取り付けた壁状部材と、該壁状部材を上方から挿通する溝部と、該溝部に挿通された壁状部材を上方から覆う蓋部材と、から構成され、該蓋部材は、回収樋に設けられた載置部に非固定状態で載置されるので、検出器が故障しても、蓋部材を外して壁状部材を引き抜けば検出器が取り出せる。したがって、メンテナンスが容易である。
【０００９】
また、請求項２に記載の遊技場設備によれば、蓋部材は、衝撃吸収性材を備え、回収樋に設けられた載置部に非固定状態で載置されるとともに、上面に計数装置からの計数球が衝接する衝接部を形成し、該衝接部に衝接した球を回収樋へ落下させるようにしたので、請求項１の効果に加えて、衝接部で遊技球の持つ運動エネルギーを減衰させることができ、回収樋落下時の衝撃を抑えることができ、回収樋の寿命を延ばすことができると共に、騒音を抑えることができる。
【発明を実施するための最良の形態】
【００１０】
以下、本発明の実施の形態を図面に基づいて説明する。
Ａ．遊技場の設備全体の概略構成
まず、遊技場の設備全体の概略構成について説明する。図１は、後述する遊技島１０ｃの内部構造（正面を覆う板や遊技機を取り外した状態）を示す正面図である。また図２は、同遊技島１０ｃの側面図である。
本例の設備は、複数の島よりなるグループが複数設置されて構成される。例えば、三つの島１０ａ，１０ｂ，１０ｃ（島１０ｃのみを図１に示す、他は図示省略）が並列状態に設置されてグループ１が形成されている。島１０ａ，１０ｂ，１０ｃのうち、島１０ａが親島、残りの島１０ｂ，１０ｃが子島である。そして、このグループ１の隣りには、同一島配列又は異なる島配列の他のグループ（図示省略）が配置されていて、グループ間の遊技球の移動（交流）が行われる。例えば、グループ１と全く同一構成のグループが隣接して配置され、端に位置する子島同士（グループ１では島１０ｃ）を介して交流が行われる。
【００１１】
各遊技島には、その筐体内に、遊技球を使用して遊技が行われるパチンコ機等の遊技機（図示省略）が長手方向に並べて設置してある。そして、特定の遊技島（例えば、両端の親島１０ａと子島１０ｃ）の一端又は両端には、計数器１２（計数装置）が設置されている。計数器１２は、払い出された遊技球（即ち、景品球）を受入れてその数量を計数し、その数量の情報等を所定の媒体（レシート、カードなど）に記録して出力する周知の機械であり、各計数器１２から受入れた遊技球は各計数器１２が設置された遊技島内に直接回収される構成となっている。
なお、遊技島の配列や配列数、或いは計数器の配置等は、上述の態様に限られないことはいうまでもない。
【００１２】
各遊技島の中央上面側には、揚送された内部の遊技球が島内循環或いは島間循環のために一時的に貯留される上部タンク１３が設けられており、この上部タンク１３は、上部主タンク１３ａと、上部補助タンク１３ｂとよりなる。このうち、上部補助タンク１３ｂには、隣接する遊技島間を連絡する島間樋（図示省略）が接続されている。
ここで、島間樋は、遊技球を流下させる方向において斜め下に傾斜した状態に設けられており、遊技球を自重により流下させることによって、或る遊技島から隣接する遊技島（同グループ内又は他グループ内の他の島）に移動させる樋である。この島間樋としては、同グループ内において親島から子島に向かって遊技球を移動させる島間補給樋と、同グループ内において子島から親島に向かって遊技球を移動させる島間回収樋と、隣接する他グループの島との間で遊技球を移動させる交流樋と、がある。
なお、図１における符号１４は、上部補助タンク１３ｂにおける例えば島間補給樋への接続口を示す。また、図１における符号１５は、上部補助タンク１３ｂにおける例えば島間回収樋への接続口を示す。
【００１３】
そして、上部タンク１３における島間回収樋や交流樋の傾斜上端側の遊技球入口（上部補助タンク１３ｂにおける島間回収樋や交流樋への入口）には、この入口を開閉するシャッター（図示省略する）が設けられている。
また各島には、島制御装置（図示省略）が設けられ、上記シャッターを含む各島内の機器の制御は、それぞれこれらの島制御装置により行われる。各島の島制御装置は、相互に接続されている。
【００１４】
Ｂ．遊技島の概略構成
次に、各遊技島の概略構成及び遊技球の流れの概要について説明する。
各遊技島は、図１に示す如く、前述の上部タンク１３に加えて、島内の比較的下側に配置されて遊技球を貯留する球貯留タンク（子島では子島タンク３１、親島では子島タンク３１と同一のタンクを含む親島タンク）と、島の長手方向（遊技機が並ぶ方向）の略中央に配置される球揚送装置３３と、この球揚送装置３３を中心として両側に伸びるように各遊技機の下方に配設された遊技球回収樋３４（本発明の回収樋）と、上部タンク１３の下部両側に接続されて上部タンク１３の遊技球を各遊技機に補給する遊技球補給樋４０と、上部タンク１３内の遊技球を自島内の子島タンク３１又は親島タンク或いは遊技球回収樋３４に流下させる図示省略した降下流路（循環流路やオーバーフロー流路、親島の場合には、さらに回収球流路）とを備える。なお、球揚送装置３３による揚送経路以外の遊技球の移動経路（各樋及び流路）は、全て遊技球がその自重により移動するものである。
【００１５】
なお、球揚送装置３３と遊技球補給樋４０は、本発明の供給装置を構成している。また、遊技球回収樋３４と供給装置（球揚送装置３３と遊技球補給樋４０）は、本発明の遊技球循環機構を構成している。
また、親島タンクは、子島タンク３１と同一の小型タンクと、この小型タンクの上流に接続され、この小型タンクよりも大型な大型タンクよりなる。そして、この小型タンクの遊技球量が少なくなると、大型タンクより遊技球が小型タンク内に補給される構成となっている。以下では、この親島タンクの小型タンクの部分も、子島タンク３１と呼び、重複する説明を省略する。
【００１６】
また、親島１０ａの回収球流路は、上部補助タンク１３ｂに上端が接続され、島間回収樋から流入した遊技球を親島タンクの大型タンクに流下させるものである。
また、親島１０ａの循環流路の下端は、子島タンク３１内に配置され、循環流路から排出される遊技球は、上記子島タンク３１内に流下する構成となっている。
また、子島タンク３１は、球揚送装置３３の近傍の遊技球回収樋３４の上方の空きスペースを、その設置空間とするタンクである。
【００１７】
そして遊技球は、概略次のように島内を循環する構成となっている。
即ち、各遊技機から排出される遊技球（アウト球等）は、まず島の下部（各遊技機の下側）の左右方向に傾斜した状態に設けられた遊技球回収樋３４により回収されて、島の略中央底部の位置に集められる。この位置には、球揚送装置３３の下端側の入口が配置されており、この位置に集められた遊技球は図示省略した整列装置により、整然と球揚送装置３３に入り、この球揚送装置３３で研磨されつつ揚送され、球揚送装置３３の上端側の出口から前述の上部タンク１３における上部主タンク１３ａ内の上部に排出される。
【００１８】
なお、計数器１２が受入れた遊技球も、計数器１２の裏面側（島の側壁の内側）に突出する排出口１２ａ（図７に示す）より、遊技球回収樋３４の始端部に流れ落ちるようになっており、遊技機から排出された遊技球と同様に回収され、球揚送装置３３に送られる。
次に、球揚送装置３３から上部主タンク１３ａ内の上部に排出された遊技球は、島間樋、遊技球補給樋４０、循環流路、オーバーフロー流路の順に優先して供給される。即ち、まず島間樋に供給され、島間樋の入口が遊技球により満杯となっていると遊技球補給樋４０に供給され、遊技球補給樋４０の入口が遊技球により満杯となっていると循環流路に供給され、循環流路の入口が遊技球により満杯となっているとオーバーフロー流路に供給される。
なお、遊技球補給樋４０に流入した遊技球は、島の上部（各遊技機の上側）の左右方向に傾斜した状態に設けられた各遊技球補給樋４０により各遊技機に供給される。遊技球補給樋４０には、各遊技機に対応する複数箇所にシュートと呼ばれる遊技球の分配器（図示省略）が設けられており、この分配器の動作により適宜補給が必要な遊技機や遊技機に付設された球貸機に上記遊技球補給樋から遊技球が補給される。
【００１９】
また子島の場合、島間補給樋（又は島間補給樋と上部タンクへの接続関係が同じである交流樋）から流入した遊技球は、遊技球補給樋４０、循環流路の順に優先して供給される。なお、遊技球補給樋４０及び循環流路の入口が遊技球により満杯となっていると、この島間補給樋からの遊技球の流入が止まる。
また子島の場合、島間回収樋（又は島間回収樋と上部タンクへの接続関係が同じである交流樋）から流入した遊技球は、オーバーフロー流路に供給され、遊技球補給樋４０及び循環流路の入口が遊技球により満杯となっていても、島下部（球貯留タンク側）に流下する。
なお親島の場合、島間回収樋から流入した遊技球は、前述した回収球流路により、親島タンクの大型タンク内に流下する。
【００２０】
そして、島間樋や遊技球補給樋４０に供給されずに上部主タンク１３ａ内で過剰となった遊技球は、通常は循環流路を経由して、この循環流路が充満状態の場合には、オーバーフロー流路を経由して、島下部（球貯留タンク側）に流下する。この場合、循環流路を経由して流下した遊技球は、子島タンク３１の内部所定深さの位置に排出される。また、オーバーフロー流路を経由して流下した遊技球は、子島タンク３１が満杯でない場合には、主に子島タンク３１内に流下し、子島タンク３１が満杯の場合は、遊技球回収樋３４に流下する構成となっている。
【００２１】
なお、符号を付しての詳細説明を省略するが、球揚送装置３３は、例えば、上下方向に配されて周回する搬送ベルトと、この搬送ベルトの片面側に対向配置される研磨布と、遊技球の外径に対応した断面半円状の溝が上下方向に形成され、前記研磨布の裏面側を保持した状態に配置される案内部材と、前記搬送ベルトを駆動するモータ等の駆動機構とを備えるもので、前記搬送ベルトと研磨布の間に遊技球を挟み込んだ状態で、遊技球を整列させたまま上向きに転動させることにより、遊技球を研磨しつつ整然と揚送する装置である。この球揚送装置３３は、基本的に常時駆動される。
【００２２】
Ｃ．遊技球回収樋の検出部の構成
次に、計数器１２が設置された島における、遊技球回収樋３４の検出部とその周辺の構成について、図３〜図７により説明する。
図３及び図４は、遊技球回収樋３４の計数装置側部（計数器１２からの遊技球が流入する始端部）を示す斜視図であり、このうち図４は、後述する壁状部材５６等を取り外した状態を示す。図５は、後述する蓋部材５９を示す斜視図である。図６は、壁状部材５６を示す斜視図である。また図７は、遊技球回収樋３４の計数装置側部を示す縦断面図である。
【００２３】
図３等において符号５１で示すのは、島の筐体の側壁である。遊技球回収樋３４の端壁３４ａ（図４及び図７に示す）は、この側壁５１の内面に接合した状態に配置されている。この側壁５１における端壁３４ａの中央上方位置には、後述する排出口１２ａを挿入するための開口部５１ａが形成されている。
また図３等に示すように、上記側壁５１の外面側には、計数器設置台５２が配置され、この計数器設置台５２の上に計数器１２が載置される。
そして、計数器１２の背面に設けられた球の排出口１２ａは、上記開口部５１ａに挿入されて、側壁５１より内面側（遊技球回収樋３４の始端部上方）に突出し、図７に示すように、計数器１２で投入された遊技球Ｋは、その排出口１２ａから親島又は子島の遊技球回収樋３４の始端部（詳しくは、後述する蓋部材５９の上面）に落下する構成となっている。
【００２４】
また、図３等において符号５３で示すのは、島の筐体の底部を構成する底部構成部材である。この底部構成部材５３は、図３に示すように、遊技球回収樋３４の正面と後面と下面を覆うように床面上に設置される概略断面Ｕ字状の部材である。この底部構成部材５３の正面側と後面側の上端部は、それぞれ前方又は後方にＬ字状に曲がって伸びていて、この前方又は後方に伸びる平板状部分がいわゆる膳板５３ａ，５３ｂ（遊技機の下方に位置し、遊技者が出球を入れた箱を載せておく棚板）を構成し、平板状部分の回収樋側に遊技機設置部が構成されている。なお、遊技球回収樋３４の前面壁３４ｂと後面壁３４ｃ（図３等に示す）は、この底部構成部材５３の内面に接合している。
【００２５】
そして、遊技球回収樋３４の始端部（排出口１２ａの下方）には、遊技球回収樋３４における球の貯留状態を検出する検出部５４が設けられている。
この検出部５４は、遊技球が遊技球回収樋３４に所定量以上滞留したことを検出して検出信号を出力する検出器５５と、この検出器５５を取り付けた壁状部材５６と、この壁状部材５６の両縁部を上方から挿通する溝部５７，５８（図４に示す）と、この溝部５７，５８に挿通された壁状部材５６を上方から覆う蓋部材５９と、から構成されている。
ここで、検出器５５が出力する前記検出信号は、例えば次のように利用される。即ち、この信号を受けた当該遊技島の島制御装置は、隣接する他の島の島制御装置に、当該遊技島の遊技球回収樋３４に遊技球が所定量以上滞留していることを示す信号を送信する。そして、この信号を受けた隣接する島は、当該遊技島に向かって遊技球を移動させる島間樋のシャッターを閉じて、当該遊技島において遊技球が過剰となることを阻止する。
【００２６】
また溝部５７は、図４に示すように、遊技球回収樋３４の端壁３４ａの内面前側に接合させて取り付けられた端板６１と、遊技球回収樋３４の前面壁３４ｂの内面に接合させて取り付けられた前板６３との間の隙間として形成されている。また溝部５８は、図４に示すように、遊技球回収樋３４の端壁３４ａの内面後側に接合させて取り付けられた端板６２と、遊技球回収樋３４の後面壁３４ｃの内面に接合させて取り付けられた後板６４と、の間の隙間として形成されている。
【００２７】
なお壁状部材５６には、図６に示すように、検出器５５の四隅にある取付穴５５ａに対応した取付穴５６ａが形成され、これら取付穴５５ａ，５６ａを利用して検出器５５が例えばネジ止めによって壁状部材５６に固定される。また壁状部材５６には、図６に示すように、検出器５５の背面に位置する開口５６ｂが形成され、この開口５６ｂを介して検出器５５の配線処理等が行われる。また、端板６１と端板６２の間の空間は、上記開口５６ｂの裏側に位置し、検出器５５の配線処理用空間６５（図４に示す）を構成している。
【００２８】
また図４に示すように、遊技球回収樋３４の前面壁３４ｂと後面壁３４ｃの右端（端壁３４ａの側の端）の上面には、蓋部材５９の厚さに対応する深さの切欠き６６，６７が形成されている。
そして、前述の端板６１，６２や前板６３や後板６４の上端面は、前記切欠き６６，６７と同一平面にあって、前記切欠き６６，６７と共に、蓋部材５９の載置部を構成している。即ち、蓋部材５９は、回収樋３４に設けられた上記載置部（端板６１，６２や前板６３，後板６４や切欠き６６，６７の上面）に前端縁や後端縁等を載せることによって、非固定状態で載置される。この場合図７に示すように、上記載置部は内側（島の中央）に向かって下方に若干傾斜しており、これによって蓋部材５９も同様に傾斜している。
【００２９】
また蓋部材５９は、図４や図５に示すように、右端側（端壁３４ａの側）に比較的前後寸法の大きい大幅部５９ａが形成され、左端側に比較的前後寸法の小さい小幅部５９ｂが形成され、前後方向両端面における大幅部５９ａと小幅部５９ｂの境界位置に段部５９ｃを有する。
ここで、蓋部材５９を前記載置部に載せた組み付け状態では、図３に示すように、大幅部５９ａの前後方向両端が前記切欠き６６，６７にはまり込み、小幅部５９ｂの前後方向両端が横板６３，６４の上面に載り、前記段部５９ｃが前記切欠き６６，６７の段部に当接することによって、蓋部材５９の位置決めが為されるとともに、蓋部材５９の島中央側（傾斜方向）への落下が阻止される。
【００３０】
そして図５に示すように、蓋部材５９は、衝撃吸収性材７１，７２，７３を備え、上面に計数器１２（計数装置）からの計数球Ｋが衝接する衝接部を形成し、該衝接部に衝接した球を遊技球回収樋３４へ落下させる構成となっている。
即ち、蓋部材５９（蓋部材５９の本体部分）の上面側と下面側には、シート状の衝撃吸収性材７１，７２，７３が配設されている。これら衝撃吸収性材７１，７２，７３は、蓋部材５９上に落下する球の運動エネルギーを吸収する衝撃吸収性を持つ材質よりなる。例えば、原料としては、天然ゴムなどの天然樹脂でもよいし、合成ゴムなどの合成樹脂でもよく、また、成型時に発泡させることによって上記衝撃吸収性を高めた発泡樹脂でもよい。
ここで、上面側の衝撃吸収性材７１は、蓋部材５９の上面全体を覆う寸法形状とされているが、下面側の衝撃吸収性材７２，７３は、前記載置部（例えば前板６３や後板６４の上面）に対応する寸法形状となっている。
【００３１】
なお、これら衝撃吸収性材７１，７２，７３は、単に載せておくだけでもよいが、蓋部材５９の上面又は裏面、或いは前板６３や後板６４等の上面に接着又は粘着等によって貼り付けるようにしてもよい。
また、上面側の衝撃吸収性材７１と下面側の衝撃吸収性材７２，７３のうち、何れか一方のみを設けた構成でもよい。
いずれにせよ、このような構成によって、計数器１２の排出口１２ａから排出された遊技球Ｋは、図７に示すように、上記蓋部材５９の上面に落下する際に、衝撃を吸収された後、遊技球回収樋３４に流下する。
【００３２】
以上説明した遊技場設備によれば、各遊技機で使用する遊技球を各遊技島内で循環させる島内循環が行われるとともに、遊技球を必要に応じて遊技島間双方向でやりとりして、各遊技島の遊技球の保有量を適切に保持する島間循環が行えるという、基本的な効果が得られる。
そして本例の場合、上記基本的な効果に加えて、次のような効果が奏される。即ち、検出部５４は、検出器５５を取り付けた壁状部材５６と、該壁状部材５６を上方から挿通する溝部５７，５８と、該溝部５７，５８に挿通された壁状部材５６を上方から覆う蓋部材５９と、から構成され、該蓋部材５９は、回収樋３４に設けられた載置部に非固定状態で載置されるので、検出器５５が故障しても、蓋部材５９を外して壁状部材５６を引き抜けば検出器５５が取り出せる。したがって、メンテナンスが容易である。
【００３３】
また、蓋部材５９は、衝撃吸収性材７１，７２，７３を備え、回収樋３４に設けられた載置部に非固定状態で載置されるとともに、上面に計数装置１２からの計数球が衝接する衝接部を形成し、該衝接部に衝接した球を回収樋３４へ落下させるようにしたので、衝接部で遊技球の持つ運動エネルギーを減衰させることができ、回収樋落下時の衝撃を抑えることができ、回収樋３４の寿命を延ばすことができると共に、騒音を抑えることができる。
【００３４】
なお、本発明は上述した形態例に限られず、各種の変形や応用があり得る。
例えば、検出器５５を含む検出部５４は、計数器１２が設けられていない遊技球回収樋３４の始端部に設けられていてもよい。但し、計数器１２が設けられている場合には、その回収樋３４に遊技球が滞留し易く、遊技球が過剰になり易いので、制御上そこに検出器を設ける必要性が格段に高い。
【００３５】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００３６】
【図１】遊技島の内部構造を示す正面図である。
【図２】遊技島の側面図である。
【図３】遊技球回収樋の計数装置側部を示す斜視図である。
【図４】遊技球回収樋の計数装置側部（壁状部材等を取り外した状態）を示す斜視図である。
【図５】蓋部材を示す斜視図である。
【図６】壁状部材を示す斜視図である。
【図７】遊技球回収樋の計数装置側部を示す縦断面図である。
【符号の説明】
【００３７】
１０ｃ  子島（遊技島）
１２  計数器（計数装置）
３３  球揚送装置（供給装置）
３４  遊技球回収樋（回収樋）
４０  遊技球補給樋（供給装置）
５４  検出部
５５  検出器
５６  壁状部材
５７，５８  溝部
５９  蓋部材
７１，７２，７３  衝撃吸収性材
【図１】
0004606374.tif 000002
【図２】
0004606374.tif 000003
【図３】
0004606374.tif 000004
【図４】
0004606374.tif 000005
【図５】
0004606374.tif 000006
【図６】
0004606374.tif 000007
【図７】
0004606374.tif 000008